(57)【要約】【課題】  カメラの高さ方向の移動量を大きくする。【解決手段】  水平移動可能なキャリア２１と、キャリア２１上で水平旋回可能な旋回台３２と、旋回台３２上で前後移動可能なポール支持部２９と、ポール支持部２９上に所定傾斜角で立設された下段ポール１と中下段ポール２と中上段ポール３と上段ポール４とを有する伸縮ポール３４と、上段ポール４に水平支軸２３で回動可能に支持されたカメラチルト用滑車３３及びカメラ固定部１２と、中下段ポール２にチルト操作軸１４で回転可能に取付けられたチルトハンドル２７と、中下段ポールの上部のチルト用滑車１５、１６と中上段ポールの下部のチルト用滑車３０、３１とに掛け回され、一端がチルトハンドル２７に設けたチルト操作用滑車１３に連結され、他端がカメラチルト用滑車３３に連結された前後のチルト用ワイヤロープ２５とを備える。【選択図】  図１
2006125583.tif 000002
【特許請求の範囲】
【請求項１】
水平移動可能なキャリアと、キャリア上に水平旋回可能に支承された旋回台と、旋回台上に前後移動可能に設けられたポール支持部と、ポール支持部上に所定傾斜角で立設された下段ポールと中下段ポールと中上段ポールと上段ポールとを有する伸縮ポールと、伸縮ポールを伸縮させる伸縮手段と、上段ポールの上部に伸縮ポールの軸芯に対して垂直な水平支軸で回動可能に支持されたカメラチルト用滑車と、カメラチルト用滑車に連結されたカメラ固定部と、中下段ポールに伸縮ポールの軸芯に対して垂直なチルト操作軸で回転可能に取り付けられたチルト操作手段と、中下段ポールの上部に設けたチルト用滑車と中上段ポールの下部に設けたチルト用滑車とに掛け回され、一端がチルト操作手段に設けたチルト操作用滑車に連結され、他端がカメラチルト用滑車に連結された前後のチルト用ワイヤロープと、を備えたカメラ用ペデスタル。
【請求項２】
伸縮手段が、下段ポール又はポール支持部に設けられた、中下段ポール、中上段ポール、上段ポール、チルト操作手段、及びカメラの荷重を相殺するための定荷重ばねと、下段ポールの上部に設けた昇降用滑車に掛け回され、一端が定荷重ばねに連結され、他端が中下段ポールの下部に連結された中下段ポール昇降用ワイヤロープと、中下段ポールの上部に設けた昇降用滑車に掛け回され、一端が下段ポールの適所に連結され、他端が中上段ポールの下部に連結された中上段ポール昇降用ワイヤロープと、中上段ポールの上部に設けた昇降用滑車に掛け回され、一端が中下段ポールの適所に連結され、他端が上段ポールの下部に連結された上段ポール昇降用ワイヤロープと、を備えた請求項１記載のカメラ用ペデスタル。
【請求項３】
中下段ポールに昇降ハンドルを備えた請求項１又は請求項２記載のカメラ用ペデスタル。
【請求項４】
昇降ハンドルに、回動可能で所定の回動位置に係止可能な回動ハンドルと、回動ハンドルに取り付けたカメラ用モニター固定部と、カメラ用モニター固定部に載置されたカメラ用モニターと、を備えた請求項３記載のカメラ用ペデスタル。
【請求項５】
カメラ固定部に、カメラを載置固定した状態でその重心が水平支軸の軸線上の位置となるよう、カメラが載置固定される請求項１〜４の何れか１項に記載のカメラ用ペデスタル。
【請求項６】
キャリアの移動装置にキャスターを備えた請求項１〜５の何れか１項に記載のカメラ用ペデスタル。
【請求項７】
キャリアの移動装置に軌道走行車輪を備えた請求項１〜５の何れか１項に記載のカメラ用ペデスタル。
【発明の詳細な説明】
【技術分野】
【０００１】
本発明は、報道や番組撮影において高い位置からの撮影を行うことができるようにするカメラ用ペデスタルに関するものである。
【背景技術】
【０００２】
従来、高い位置からの撮影を行う場合には、足場を組上げ、人がその上に乗って撮影したり、あるいは撮影用クレーン装置（特許文献１参照）を使用して撮影を行っていた。
しかしながら、高所からの撮影を行うための足場の組立作業は、非常に大きな労力を必要とする。また、スタジオ内などでよく使用される撮影用クレーン装置は、大きなスペースが必要で、狭い撮影場所では使用できず、周囲に人がいると危険であり、しかも非常に高価であるという問題がある。
【０００３】
そこで、本発明者は、高所からの撮影を狭い場所でも容易に行える装置として、図９に示すような、水平移動可能なキャリア９０と、キャリア９０上に水平旋回可能に支承されたポール支持部９５と、ポール支持部９５上に立設された下段ポール９１と中段ポール９２と上段ポール９３からなる３段の伸縮ポール９４と、伸縮ポール９４を伸縮させる伸縮手段９６と、上段ポール９３の上部に伸縮ポール９４の軸芯に対して垂直な支軸９７で揺動可能に支持されたカメラ固定部９８とを備えたカメラ用ペデスタルを提案している（特願２００３−３４５９８５参照）。
【０００４】
このカメラ用ペデスタルは、軽量、安価で高所からの撮影を狭い場所でも安全に行うことができるが、カメラ光軸の高さ方向の移動量が操作量の２倍であり、人間が操作できる操作量には限界があるため、カメラ光軸の最高高さを高くしたい場合にはカメラ光軸の最低高さを高くする必要があり、カメラ光軸の最低高さを低く抑えたい場合にはカメラ光軸の最高高さを高くすることができない。
カメラ光軸の高さ方向の移動量を大きくするためには、伸縮ポール９４を３段から４段にして、カメラ光軸の高さ方向の移動量を操作量の３倍とすることも考えられるが、段数が増加すれば伸縮ポール８０の各段の連結部から発生するガタが全体として大きくなり、カメラ２４の揺れが増大することになる。
【０００５】
また、キャリア９０の周囲に設けられる移動装置９９は、安定を確保するためにある程度の間隔をおいて配置する必要があり、カメラ２４はその中心から鉛直に昇降するため、被写体に対して真上に近い位置からの撮影を行うことが困難であり、例えば、料理番組でレンジ５１上の鍋５２のような被写体を撮影する場合、図１０に示すように、鍋５２の底５３の方は側面５４に隠れて殆ど写すことができなかった。
【特許文献１】特開平０５−１６１０３７号公報
【発明の開示】
【発明が解決しようとする課題】
【０００６】
本発明は、高所からの撮影を行う場合における上記問題を解決するものであって、カメラ光軸の高さ方向の移動量を大きくでき、連結部のガタによるカメラの揺れを防止可能であり、カメラを旋回中心より前方に移動させて被写体に対して真上に近い位置からの撮影を行うことのできるカメラ用ペデスタルを提供することを目的とする。
【課題を解決するための手段】
【０００７】
本発明のカメラ用ペデスタルは、水平移動可能なキャリアと、キャリア上に水平旋回可能に支承された旋回台と、旋回台上に前後移動可能に設けられたポール支持部と、ポール支持部上に所定傾斜角で立設された下段ポールと中下段ポールと中上段ポールと上段ポールとを有する伸縮ポールと、伸縮ポールを伸縮させる伸縮手段と、上段ポールの上部に伸縮ポールの軸芯に対して垂直な水平支軸で回動可能に支持されたカメラチルト用滑車と、カメラチルト用滑車に連結されたカメラ固定部と、中下段ポールに伸縮ポールの軸芯に対して垂直なチルト操作軸で回転可能に取り付けられたチルト操作手段と、中下段ポールの上部に設けたチルト用滑車と中上段ポールの下部に設けたチルト用滑車とに掛け回され、一端がチルト操作手段に設けたチルト操作用滑車に連結され、他端がカメラチルト用滑車に連結された前後のチルト用ワイヤロープと、を備えることにより上記課題を解決している。
【０００８】
本発明のカメラ用ペデスタルは、４段の伸縮ポールを伸縮させることによりカメラを昇降させるので、カメラの光軸の移動量が操作量の３倍となる。従って、従来のカメラ光軸の最高高さを維持したまま最低高さを低くすることや、従来のカメラ光軸の最低高さを維持したまま最高高さを高くすることが可能である。
また、伸縮ポールがポール支持部上に所定傾斜角で立設されているため、伸縮ポールには常に重力により曲げがかかるので、連結部のガタによるカメラの揺れを防ぐことができる。
【０００９】
カメラは人の手の届かない高所でまで上昇させても、中下段ポールに設けたチルト操作手段でチルト操作できる。ポール支持部が旋回台によりキャリア上で水平旋回自在であるので、パン操作が可能であり、キャリアを水平移動させることもできる。
さらに、ポール支持部が旋回台上に前後移動可能に設けられているので、カメラを旋回中心より前方に移動させることにより、被写体に対して真上に近い位置からの撮影を行うことができるようになる。
伸縮ポールを伸縮させる伸縮手段としては、油圧シリンダ、ボールネジその他の手段を適宜選択できる。また、中下段ポールと中上段ポールと上段ポールを同時に伸縮させるようにしてもよく、個別に伸縮させるようにしてもよい。
【００１０】
なお、伸縮手段を、下段ポール又はポール支持部に設けられた、中下段ポール、中上段ポール、上段ポール、チルト操作手段、及びカメラの荷重を相殺するための定荷重ばねと、下段ポールの上部に設けた昇降用滑車に掛け回され、一端が定荷重ばねに連結され、他端が中下段ポールの下部に連結された中下段ポール昇降用ワイヤロープと、中下段ポールの上部に設けた昇降用滑車に掛け回され、一端が下段ポールの適所に連結され、他端が中上段ポールの下部に連結された中上段ポール昇降用ワイヤロープと、中上段ポールの上部に設けた昇降用滑車に掛け回され、一端が中下段ポールの適所に連結され、他端が上段ポールの下部に連結された上段ポール昇降用ワイヤロープと、で構成すると、中下段ポール、中上段ポール、上段ポール、チルト操作手段、及びカメラの荷重が定荷重ばねによって相殺されるため、伸縮のために大きな力を要せず、人力で容易に昇降操作することができる。
【００１１】
中下段ポールに昇降ハンドルを設けると、昇降の操作がより容易になる。
この昇降ハンドルに、回動可能で所定の回動位置に係止可能な回動ハンドルと、回動ハンドルに取り付けたカメラ用モニター固定部と、カメラ用モニター固定部に載置されたカメラ用モニターとを設けると、チルト操作手段、昇降ハンドル、カメラ用モニターが一体となって昇降するため、カメラの位置に関わらず、上半身の姿勢を維持したまま膝の屈伸動作によ昇降操作を行うことで、撮影しながら映像を容易に確認できる。
【００１２】
カメラ固定部に、カメラを載置固定した状態でその重心が水平支軸の軸線上の位置となるよう、カメラが載置固定されると、カメラのチルト角度が変化してもチルト操作手段の操作力を一定にできる。
キャリアの移動装置にキャスターを備えていると、平面上の任意の位置へ移動することができる。
キャリアの移動装置に軌道走行車輪を備えていると、軌道に沿って所定の経路を正確に移動することができる。
【発明の効果】
【００１３】
本発明のカメラ用ペデスタルは、カメラ光軸の高さ方向の移動量を大きくでき、連結部のガタによるカメラの揺れを防止可能であり、操作が容易で、高所からの撮影を狭い場所でも安全に行うことができる。カメラを旋回中心より前方に移動させて被写体に対して真上に近い位置からの撮影を行うこともできる。
【発明を実施するための最良の形態】
【００１４】
図１は本発明の実施の一形態を示すカメラ用ペデスタルの側面図、図２はカメラ用ペデスタルの伸縮ポール伸長状態の斜視図、図３はカメラ用ペデスタルの伸縮ポール縮小状態の斜視図、図４は昇降用ワイヤロープの掛け回し方の説明図、図５はチルト用ワイヤロープの掛け回し方の説明図、図６はカメラ用ペデスタルのポール支持部を旋回台上で前方に移動させた状態を示す側面図、図７は図６の状態のカメラから見た鍋の斜視図である。
【００１５】
このカメラ用ペデスタルは、移動装置５０によって水平移動可能なキャリア２１上に、旋回台３２が鉛直軸Ｙを旋回中心とする旋回機構２０で水平旋回可能に支承されており、この旋回台３２上には水平スライド機構２６により前後方向に移動可能なポール支持部２９が設けられている。このポール支持部２９上には、伸縮ポール３４が所定傾斜角で立設されている。
【００１６】
移動装置５０は、キャスター支持部材３７で支持されたキャスター２２と、ハンドル３８でキャスター２２の高さを調整するレベル調整機構１９とを備えている。ここで、キャリア２１には移動装置取付ブラケット３６が四方に固設され、この移動装置取付ブラケット３６に移動装置５０が取付けられているが、安定した状態で移動できればその個数や位置は適宜変更しても差し支えない。
【００１７】
伸縮ポール３４は、互いに摺動可能に嵌挿された下段ポール１と中下段ポール２と中上段ポール３と上段ポール４とからなり、上段ポール４の上部には、伸縮ポール３４の軸芯に対して垂直な水平支軸２３でカメラチルト用滑車３３が回動可能に支持されている。このカメラチルト用滑車３３には、カメラ固定部１２が連結されており、このカメラ固定部１２上には、カメラ２４が重心を水平支軸２３の軸線に合わせるようにして載置固定される。
【００１８】
中下段ポール２には、伸縮ポール３４の軸芯に対して垂直で、且つ水平なチルト操作軸１４によって、チルト操作用滑車１３が回転可能に取り付けられている。チルト操作軸１４は図２、図３上で左側方（後方に位置する撮影者側から見て左手側）に延出しており、その先端部には、チルト操作軸１４とチルト操作用滑車１３を回転させてチルト操作を行うためのチルトハンドル２７が取り付けられている。
【００１９】
また、中下段ポール２のチルト操作軸１４付近には、中下段ポール２を昇降、旋回させることによりカメラ２４の高さや方向を変更するための昇降ハンドル１７が設けられている。この昇降ハンドル１７は、回動可能で且つ所定の回動位置に係止可能な回動ハンドル３５と、この回動ハンドル３５に取り付けたカメラ用モニター固定部１８と、カメラ用モニター固定部１８に載置されたカメラ用モニター２８とを備えている。
【００２０】
下段ポール１の基部のポール支持部２９上には、定荷重ばね５が設けられている。この定荷重ばね５は、中下段ポール２、中上段ポール３、上段ポール４、カメラ用モニター２８、及びカメラ２４の荷重を相殺するためのものであり、例えば、市販のコンストン（登録商標）ばね等が用いられる。
図４に示すように、下段ポール１の上部には昇降用滑車６が設けられており、この昇降用滑車６には中下段ポール昇降用ワイヤロープ７が掛け回され、一端が定荷重ばね５に連結され、他端が中下段ポール２の下部に連結されている。
【００２１】
中下段ポール２の上部には昇降用滑車９が設けられており、この昇降用滑車９には中上段ポール昇降用ワイヤロープ８が掛け回され、その一端が下段ポール１の上部に連結され、他端が中上段ポール３の下部に連結されている。
中上段ポール３の上部には昇降用滑車１１が設けられており、この昇降用滑車１１には上段ポール昇降用ワイヤロープ１０が掛け回され、その一端が中下段ポール２の下部に連結され、他端が上段ポール４の下部に連結されている。
【００２２】
また、図５に示すように、中下段ポール２の左側方（撮影者側から見て左手側）上部には前後にチルト用滑車１６、１５、中上段ポール３の左側方（撮影者側から見て左手側）下部には前後にチルト用滑車３１、３０が設けられており、このチルト用滑車１６、１５、３１、３０にはそれぞれチルト用ワイヤロープ２５が掛け回され、一端がチルト操作用滑車１３に連結され、他端がカメラチルト用滑車３３にそれぞれ連結されている。
このカメラ用ペデスタルを用いて撮影する場合には、撮影者は、まず、レベル調整機構１９でキャリア２１のレベルを調整して、旋回台３２が水平に旋回し、ポール支持部２９が旋回台３２上で前後に水平移動できるようにする。
【００２３】
カメラ２４の高さを変更するときには、昇降ハンドル１７を手動で昇降させる。中下段ポール昇降用ワイヤロープ７が下段ポール１の上部の昇降用滑車６に掛け回されて、一端が定荷重ばね５に連結され、他端が中下段ポール２の下部に連結されており、中上段ポール昇降用ワイヤロープ８が中下段ポール２の上部の昇降用滑車９に掛け回されて、一端が下段ポール１の上部に連結され、他端が中上段ポール３の下部に連結されており、且つ、上段ポール昇降用ワイヤロープ１０が中上段ポール３の上部の昇降用滑車１１に掛け回されて、一端が中下段ポール２の下部に連結され、他端が上段ポール４の下部に連結されているので、カメラ２４は昇降ハンドル１７の移動距離の３倍の距離だけ昇降する。
【００２４】
カメラ２４、カメラ固定部１２、上段ポール４に作用する重力は、上段ポール昇降用ワイヤロープ１０に掛かり、その張力が昇降用滑車１１で支持されている。この昇降用滑車１１で支持される上段ポール昇降用ワイヤロープ１０の張力と、中上段ポール３に作用する重力は、中上段ポール昇降用ワイヤロープ８に掛かり、その張力が昇降用滑車９で支持されている。この昇降用滑車９で支持される中上段ポール昇降用ワイヤロープ８の張力と、昇降ハンドル１７、カメラ用モニター２８を含む中下段ポール２に作用する重力は、中下段ポール昇降用ワイヤロープ７に掛かるが、この力を相殺するように、中下段ポール昇降用ワイヤロープ７には常に一定の張力が定荷重ばね５によって与えられるので、伸縮ポール３４を伸縮させるのに大きな力は要しない。
【００２５】
下段ポール１はポール支持部２９上に所定傾斜角で前傾するように立設されている。そのため、伸縮ポール３４は、傾斜角方向に伸縮し、中下段ポール２、中上段ポール３、上段ポール４には常に前方向へ重力により曲げがかかるので、連結部にガタが存在してもカメラの揺れは生じない。
昇降ハンドル１７には、回動可能な回動ハンドル３５が所定の回動位置で係止可能に取り付けられており、この回動ハンドル３５にカメラ用モニター固定部１８が取り付けられ、カメラ用モニター固定部１８にカメラ用モニター２８が載置されている。従って、回動ハンドル３５を前後に回動させることにより、カメラ用モニター２８を前後に回動させ、所定の回動位置で係止させることができる。即ち、昇降ハンドル１７の高さに応じて回動ハンドル３５を回動させることにより、カメラ用モニター２８の俯仰角を調整することができる。
【００２６】
さらに、チルトハンドル２７、昇降ハンドル１７、カメラ用モニター２８が一体となって昇降するため、カメラ２４の位置に関わらず、撮影者は上半身の姿勢を維持したまま膝の屈伸動作により昇降操作を行い、撮影しながら映像を容易に確認できる。
カメラ２４の方向を変更するときには、昇降ハンドル１７を手動で旋回させる。
旋回機構２０によって、旋回台３２が旋回し、伸縮ポール３４がポール支持部２９と共に旋回するので、カメラ２４は昇降ハンドル１７の旋回角度だけ水平旋回する。
【００２７】
カメラ２４のチルト角度を変更するときには、チルトハンドル２７を手動で操作し、チルト操作軸１４でチルト操作用滑車１３を回転させる。
チルト用ワイヤロープ２５がチルト用滑車１５、１６、３０、３１に掛け回されて、前後のチルト用ワイヤロープ２５の一端がそれぞれチルト操作用滑車１４に連結され、チルト用ワイヤロープ２５の他端はカメラ２４が水平となる状態でカメラチルト用滑車３３の上部にそれぞれ連結されているので、チルト操作用滑車１３を回転させると、カメラチルト用滑車３３とカメラ２４が同じ角度だけ回転してチルト角度が変わる。
【００２８】
例えば、チルト操作軸１４を図１上で時計方向に回転させると、カメラチルト用滑車３３の後側（図上右側）に連結されているチルト用ワイヤロープ２５が引張され、カメラ固定部１２の後側が下がるように傾動するので、カメラ２４は上を向く。
このとき、カメラチルト用滑車３３の前側に連結されているチルト用ワイヤロープ２５は、チルト操作用滑車１３の回転で送り出されるため、カメラチルト用滑車３３の時計方向への回転に追従できる。
チルト操作軸１４を図１上で反時計方向に回転させると、カメラチルト用滑車３３の前側に連結されているチルト用ワイヤロープ２５が引張され、カメラ固定部１２の前側が下がるように傾動するので、カメラ２４は下を向く。
【００２９】
また、図２に示す伸長状態から図３に示す縮小状態へ伸縮ポール３４を縮小させたとき、カメラチルト用滑車３３から中上段ポール３の下部に設けたチルト用滑車３０、３１までの距離が昇降ハンドル１７の移動距離分だけ減少するが、このチルト用滑車３０、３１から中下段ポール２の上部に設けたチルト用滑車１５、１６までの距離が昇降ハンドル１７の移動距離分だけ増加するので、チルト用ワイヤロープ２５が弛むことはない。従って、縮小状態でも伸長状態の場合と同様に、チルトハンドル２７の操作でカメラ２４のチルト角度を変更することができる。
【００３０】
カメラ２４は重心が水平支軸２３の軸線上となる位置でカメラ固定部１２に固定されているので、カメラ２４のチルト角度が変化してもチルトハンドル２７の操作力は一定である。
カメラ用ペデスタルは、キャリア２１がキャスター２２を備えた移動装置５０で水平移動可能であるので、カメラ２４を任意の撮影位置まで水平移動することができる。
【００３１】
さらに、ポール支持部２９を水平スライド機構２６によって旋回台３２上で前方に移動させると、被写体の真上に近い位置からの撮影が可能となり、例えば、図６に示すように、レンジ５１上の鍋５２のような被写体を撮影する場合、図７のように側面５４に妨げられることなく鍋５２の底５３の方まで写すことができる。
このカメラ用ペデスタルでは、４個のキャスター２２を備えているが、キャスター２２が移動装置５０にそれぞれ転向自在に支承されているため、キャスター２２の方向が揃っていない状態から移動を開始すると、それぞれのキャスター２２の方向が撮影者の意図する方向に揃うまでの間、撮影者の意図と異なる方向に進む。
【００３２】
従って、移動しながら撮影を行うような場合には、撮影者の意図した通りの映像を撮れないことがある。
このような場合には、図８に示すように、撮影者の意図する移動経路に合わせて軌道４５を敷設し、軌道走行車輪４４を備えた移動装置４６を用いるとよい。
このカメラ用ペデスタルのキャリア２１には、図１に示すものと同様に移動装置取付ブラケット３６が四方に固設されている。そして、移動装置４６は、２個の移動装置取付ブラケット３６にレベル調整機構１９のハンドル３８を利用して固定されたアダプタ３９と、下部に雄ねじを有し、アダプタ３９の前後端部に回転可能に取付けられた垂直な支軸４０と、支軸４０の雄ねじに螺合する雌ねじを有する車輪用ステー４２と、支軸４０の雄ねじに雌ねじで螺合された車輪用ステー４２の回りをロックするロックハンドル４１と、支軸４０の上端に取付けられた高さ調整ハンドル４３と、車輪用ステー４２の前後端部に取付けられた軌道走行車輪４４とで構成されている。
【００３３】
このカメラ用ペデスタルを用いて撮影する場合には、撮影者は、まず、撮影者の意図する移動経路に合わせて軌道４５を敷設し、カメラ用ペデスタルを軌道４５上に載置する。次に、車輪用ステー４２の高さを揃えるため、高さ調整ハンドル４３を握り、ロックハンドル４１を平面視で反時計回りに回転させ、支軸４０下部の雄ねじを車輪用ステー４２に対して回転可能な状態とする。
【００３４】
それから、車輪用ステー４２の高さを低くするときには、高さ調整ハンドル４３を平面視で反時計回りに回転させ、車輪用ステー４２の高さを高くするときには、高さ調整ハンドル４３を平面視で時計回りに回転させて、４箇所の車輪用ステー４２の高さを揃える。  その後、高さ調整ハンドル４３を握り、ロックハンドル４１を平面視で時計回りに回転させ、支軸４０と車輪用ステー４２を固定する。
【００３５】
軌道４５上でカメラ用ペデスタルを走行させると、軌道４５の方向に従って各車輪用ステー４２が支軸４０を中心として回転し方向を転換するため、キャリア２１は、軌道４５に沿って所定の経路を正確に移動する。
従って、移動しながら撮影を行うような場合に、撮影者の意図した通りの映像を撮ることができる。
なお、このカメラ用ペデスタルでは、キャリア２１に図１に示すものと同様の移動装置取付ブラケット３６が四方に固設されているので、必要に応じて移動装置４６をキャスターを備えた移動装置５０と交換することで、軌道外の床上で使用することができる。
【図面の簡単な説明】
【００３６】
【図１】本発明の実施の一形態を示すカメラ用ペデスタルの側面図である。
【図２】カメラ用ペデスタルの伸縮ポール伸長状態の斜視図である。
【図３】カメラ用ペデスタルの伸縮ポール縮小状態の斜視図である。
【図４】昇降用ワイヤロープの掛け回し方の説明図である。
【図５】チルト用ワイヤロープの掛け回し方の説明図である。
【図６】カメラ用ペデスタルのポール支持部を旋回台上で前方に移動させた状態を示す側面図である。
【図７】図６の状態のカメラから見た鍋の斜視図である。
【図８】移動装置に軌道走行車輪を備えたカメラ用ペデスタルの側面図である。
【図９】従来のカメラ用ペデスタルの側面図である。
【図１０】図９の状態のカメラから見た鍋の斜視図である。
【符号の説明】
【００３７】
１      下段ポール
２      中下段ポール
３      中上段ポール
４      上段ポール
５      定荷重ばね
６      昇降用滑車
７      中下段ポール昇降用ワイヤロープ
８      中上段ポール昇降用ワイヤロープ
９      昇降用滑車
１０    上段ポール昇降用ワイヤロープ
１１    昇降用滑車
１２    カメラ固定部
１３    チルト操作用滑車
１４    チルト操作軸
１５、１６    チルト用滑車
１７    昇降ハンドル
１８    カメラ用モニター固定部
１９    レベル調整機構
２０    旋回機構
２１    キャリア
２２    キャスター
２３    水平支軸
２４    カメラ
２５    チルト用ワイヤロープ
２６    水平スライド機構
２７    チルトハンドル
２８    カメラ用モニター
２９    ポール支持部
３０、３１    チルト用滑車
３３    カメラチルト用滑車
３４    伸縮ポール
３５    回動ハンドル
３６    移動装置取付ブラケット
３７    キャスター支持部材
３８    ハンドル
３９    アダプタ
４０    支軸
４１    ロックハンドル
４２    車輪用ステー
４３    高さ調整ハンドル
４４    軌道走行車輪
４５    軌道
４６    移動装置
５０    移動装置
５１    レンジ
５２    鍋
５３    底
５４    側面
【図１】
2006125583.tif 000003
【図２】
2006125583.tif 000004
【図３】
2006125583.tif 000005
【図４】
2006125583.tif 000006
【図５】
2006125583.tif 000007
【図６】
2006125583.tif 000008
【図７】
2006125583.tif 000009
【図８】
2006125583.tif 000010
【図９】
2006125583.tif 000011
【図１０】
2006125583.tif 000012